(57)【要約】      （修正有）【課題】本体の大きさや使用場所に関わらず、レバー操作だけで手を汚さずに排水・止水ができる容器を提供する。【解決手段】底部に排水口が形成された容器であって、排水口を開閉する蓋４と、蓋から伸出し、蓋を水平及び垂直方向に移動させる操作レバー３と、蓋及び操作レバーが固定され排水口の周囲に配置する第１のリング２と、第１のリングの内側に位置し容器底部に固設された第２のリング５とを有し、第１のリングの内周面は第２のリングの外周面に摺接し、操作レバーの操作に伴い第１のリングが第２のリングの外周面を摺動することにより第１のリングに固定された蓋が水平及び垂直方向に移動し、排水口を開閉させる。【選択図】図２
0003218654.tif 000002
【実用新案登録請求の範囲】
【請求項１】
底部に排水口が形成された容器であって、
前記排水口を開閉する蓋と、
前記蓋から伸出し前記蓋を水平及び垂直方向に移動させる操作レバーと、
前記蓋及び前記操作レバーが固定され前記排水口の周囲に配置された第１のリングと、
前記第１のリングの内側に位置し前記容器底部に固設された第２のリングと、
を有し、前記第１のリングの内周面は前記第２のリングの外周面に摺接し、前記操作レバーの操作に伴い前記第１のリングが前記第２のリングの外周面を摺動することにより前記第１のリングに固定された前記蓋が水平及び垂直方向に移動し、前記排水口を開閉させることを特徴とする容器。
【請求項２】
前記第１のリングは内周面に第１の突起及び第２の突起を有し、
前記第２のリングは外周面に渦巻状に形成された第１の溝及び第２の溝を有し、
前記操作レバーの操作に伴い前記第1のリングが前記第２のリングの外周面を摺動するときに、
前記第１の突起は前記第１の溝に嵌合しつつ渦巻状の軌跡を描いて移動し、
前記第２の突起は前記第２の溝に嵌合しつつ渦巻状の軌跡を描いて移動し、
前記第１及び第２の突起の移動に伴い、前記操作レバー及び前記第1のリングに固定された前記蓋が水平及び垂直方向に移動して前記排水口を開閉させることを特徴とする請求項１記載の容器。
【考案の詳細な説明】
【技術分野】
【０００１】
本考案は、レバー操作により、容易に排水・止水ができる洗い桶・バケツ・調理用ボウル等の容器に関する。
【背景技術】
【０００２】
洗い桶・バケツ・調理用ボウル等の液体容器の水抜きは、容器を手で傾け、容器上部から水を流すのが通常である。一部で、底部に排水口と栓を有する洗い桶等も市販されている。
【先行技術文献】
【特許文献】
【０００３】
【特許文献１】公開実用新案公報平１−９９３５６号
【考案の概要】
【考案が解決しようとする課題】
【０００４】
バケツの中の汚水を捨てるときには、両手で持ち上げかかえながら捨てることが多い。このため、高齢者、障害者、筋力低下がある方にとっては不便であるうえ、汚水等を処理するときは、流し口以外の場所に汚水が拡散してしまうことが多い。
【０００５】
洗い桶を使用中に途中で排水するときには、桶の中の食器等をどかさねばならないため、手が汚れることが多々ある。また、洗浄に入る前に、食器等をつけ置きしていた油等を含んだ液体だけを先に流す事は難しい。さらに、洗い桶から直接排水口に汚水を捨てる事ができないので、シンク内が汚れやすく、実際に洗浄を行う時に、よりきれいな状態で皿等を洗う事ができない。
洗濯用の洗い桶の場合は、漂白剤を入れて洗濯物をつけ置きしていた濁水や下着のつけ置き後の汚水を流す時は手を汚しやすく、また、排水が拡散することもあり、不衛生である。
【０００６】
調理用ボウルの場合は、例えば、シイタケやニンジンの千切り、モヤシ等、水につけてあくだしをした後などは、両手を使い注意して水を流すが、素材をうっかり流してしまう事もある。米研ぎ後に水だけを取り除く場合にも同様の注意が必要である。また、蕎麦等麺類の冷水締めの際には、除水後ザル等に移し替えたりする必要があり、洗い物が増える。
【０００７】
一方で、容器を動かさなくても排水ができるように、底部に排水口と栓が設置された洗い桶等が市販されているが、栓がプッシュ式、あるいは蓋を引っ張る、蓋につながれた鎖を引っ張る等の方式であるため、どれも器の中にあるものをどかすか無くなってからの排水しかできないうえ、栓を抜くには油の混ざった水や漂白剤に手を入れて操作せねばならず、上述の問題は解決されていない。
【０００８】
上記特許文献１には、流し台のシンク内で使用する洗い桶であって、底部に常時開放された排水口と、桶底外面の前記排水口周辺に環状の弾性体を垂設し、前記弾性体をシンク面に密着させることにより、前記排水口からシンクへの出水を停止しつつ洗い物ができ、排水に際しては桶端を持ち上げることにより排水が可能となる仕組みの洗い桶についての考案が公開されている。しかしながら、この方法はステンレス製の平底を有するシンク内だけで使用する洗い桶にのみ有効な考案であり、シンク外で使用することが多いバケツ等の容器や移動が多いボウル等の小物容器には採用できない。
【０００９】
上述の問題に鑑み、本考案においては、本体の大きさや使用場所に関わらず、レバー操作だけで手を汚さずに排水・止水ができる容器を提供することを課題とする。
【課題を解決するための手段】
【００１０】
上記課題を解決するために、本考案に係る容器は、底部に排水口が形成された容器であって、前記排水口を開閉する蓋と、前記蓋から伸出し前記蓋を水平及び垂直方向に移動させる操作レバーと、前記蓋及び前記操作レバーが固定され前記排水口の周囲に配置された第１のリングと、前記第１のリングの内側に位置し前記容器底部に固設された第２のリングとを有し、前記第１のリングの内周面は前記第２のリングの外周面に摺接し、前記操作レバーの操作に伴い前記第１のリングが前記第２のリングの外周面を摺動することにより前記第１のリングに固定された前記蓋が水平及び垂直方向に移動し、前記排水口を開閉させることを特徴とする。
【００１１】
上述の構成において、本考案に係る容器の前記第１のリングは内周面に第１の突起及び第２の突起を有し、前記第２のリングは外周面に渦巻状に形成された第１の溝及び第２の溝を有し、前記操作レバーの操作に伴い前記第1のリングが前記第２のリングの外周面を摺動するときに、前記第１の突起は前記第１の溝に嵌合しつつ渦巻状の軌跡を描いて移動し、前記第２の突起は前記第２の溝に嵌合しつつ渦巻状の軌跡を描いて移動し、前記第１及び第２の突起の前記移動に伴い、前記操作レバー及び前記第1のリングに固定された前記蓋が水平及び垂直方向に移動して前記排水口を開閉させる。
【考案の効果】
【００１２】
本考案の容器がバケツの場合、バケツを置いたまま排水ができるので、両手でかかえながら汚水を捨てるという動作が必要なくなるうえ、汚水等を拡散させずに処理することが可能となる。また、持ち上げなくても排水できるので、片手が不自由な方に限らず、高齢に伴う筋力低下がある方、リウマチ等で手先まで変形し痛みを覚えている方等にとっては便利である。さらに、水を入れすぎた時には、レバーを操作するだけで簡単に適量にする事ができる。
【００１３】
洗い桶の場合は、桶の中にある物をどかさず、外側のレバー操作だけで排水できるので、手を汚さず、桶内の汚水だけを排水できる。例えば、つけ置きして出た油等を含んだ液体だけを先に流す事ができるので、実際に洗う時、よりきれいな状態で皿等を洗う事ができる。また、シンク本体の排水口の上に置けば、洗い桶から直接排水口に汚水を捨てる事ができるので、シンク内を汚さずに済む。洗濯用洗い桶の場合でも、漂白剤を入れてつけ置きしていた汚水や、汚物が付着した下着のつけ置き後に出た汚水を、手を汚さず、また拡散させる事なくスムーズに排水でき、衛生的な処理が可能となる。
【００１４】
調理用ボウルの場合は、排水口に格子状または網状のネットを設置することにより、調理物を流すことなく水を流出させることが可能となる。例えば、シイタケやニンジンの千切り、モヤシ等、水につけてあくだしをした後に、レバー操作だけで水切りができるので両手を使わなくてもよくなるうえ、素材をうっかり流してしまう事もなくなる。また、蕎麦等麺類を茹でた後、冷水で締める時にも、締めた後に下から排水すれば良いので、ザル等を使わず簡単に水切りができる。これにより、洗い物の数を減らすことができる。さらに、ボウルの内側にメモリを設置しておけば、米を研ぐ時も、このボウル内で研いで排水し、研ぎ終わった後にメモリに合わせて適応量の水を入れて、米を浸しておくことができる。
【図面の簡単な説明】
【００１５】
【図１】本実施形態の容器の外観を示す斜視図である。
【図２】本実施形態の容器の排水・止水機能に関する部品の構成図である。
【図３】本実施形態の容器の底面図である。
【考案を実施するための形態】
【００１６】
本実施形態の容器（以下、単に「本容器」という。）は、容易に排水・止水ができる調理用ボウルである。以下、図を用いて説明する。
【００１７】
本容器１は、図１に示すように、容器底部１１に円形の排水口１２が形成された調理用ボウルであり、容器底部１１から伸び、容器外部側面１４に操作部が配置された操作レバー３を水平周方向に動作させることにより、容器底部１１の操作レバー３の先端に付設された排水口開閉蓋４（図２）が排水口１２の開閉を行い、排水・止水を可能とする。
【００１８】
図２は排水・止水機能に関する部品群の構成図であり、図３は部品設置後の本容器の底面図である。各図に示すように、本機能に関する部品群は、第１のリング２、操作レバー３、排水口開閉蓋４及び第２のリング５より成り、容器側面１４に突出した操作レバー３の操作部を除き、すべての部品が容器底部１１の下面に配置されている。
【００１９】
第２のリング５は容器底部１１の下面に固着されており、第１のリング２は第２のリング５の外側に着脱自在・回転可能に配置される。このとき、第１のリング２の内径は第２のリング５の外径とほぼ等しく成型されている。また、操作レバー３の先端には排水口開閉蓋４が付設され、操作レバー３は第１のリングに固定されている。このため、第１のリング２は操作レバー３に従動し、排水口開閉蓋４は第１のリング２に従動する。
【００２０】
この構成において、まず、第１のリング２の内周面と第２のリング５の外周面が摺接する形で第１のリング２を嵌め込む。このとき、第１のリング２は内周面に第１の突起２１ａ及び第２の突起２１ｂを有し、第２のリング５の外周面には突起２１ａ・２１ｂを最初に受け入れるための縦溝５１ａ・５１ｂと、受け入れ後に突起２１ａ・２１ｂを案内するための案内溝５２ａ・５２ｂが渦巻状に形成されている。
【００２１】
排水・止水機能のメカニズムは次のとおりである。すなわち、上述の構成において、第２のリング５を第１のリング２の外側に嵌め込んだ後、操作レバー３を容器側面１４に沿って周動させることにより第１のリング２が回転する。回転に伴い、第１のリング２の内周面に設置された第１・第２の突起２１ａ・２１ｂは、第２のリング５の外周面に形成された案内溝５２ａ・５２ｂに嵌合しつつ、渦巻状の軌跡を描いて次第に上方向の容器底部１１に向かって移動する。これに伴い、レバー先端の排水口開閉蓋４も次第に上方向に移動して、レバー３が一定の位置に到達した時、排水口１２を塞ぐ。
【００２２】
図１に示すように、本容器は操作レバー３の容器底部での動きを確保するために、底足１３の一部がカットされている。また、確実に開閉蓋４が排水口１２を塞ぐ位置を決定するために、容器底部１１と底足１３との間に切欠き１３１が形成されている。すなわち、操作レバー３が切欠き１３１に完全に嵌入した位置が排水口１２の閉鎖位置となる。さらに、思わぬ振動等により、排水口１２の閉鎖時に操作レバー３が動いて排水口１２が開くことがないよう、容器側面１４にストッパー１４１が設置されている。言い換えれば、操作レバー３がストッパー１４１を跨いだ位置が排水口１２の閉鎖位置となる。ストッパー１４１を再び跨ぎ、操作レバー３を逆方向に周動させることにより、排水口１２が開放される。
【００２３】
以上、本考案の有する特徴及び優れた点を上記実施形態である調理用ボウルとして列挙したが、「考案の概要」に記載したように、本考案は、排水・止水機能に関する部品の形状やサイズを調節することで、洗い桶やバケツ等、ほとんどの液体容器としての実施が可能である。例えば、両手で持ち上げることに難がある大型のバケツの場合は、操作レバーの長さやカーブをバケツのサイズや形状に合わせて成型することで、有効な実施を実現することができる。また、本考案の容器は、家庭使用だけでなく、業務用としての使用も考えられる。例えば、頻繁に水の交換を必要とする花屋や魚屋等においては、本考案に係る容器を使用することで、従業員の作業負担の軽減と業務の効率化が可能となる。
【符号の説明】
【００２４】
１      容器（ボウル）
１１    容器底部
１２    排水口
１３    底足
１３１  切欠き
１４    容器側面
１４１  ストッパー
２      第１のリング
２１ａ  第１の突起
２１ｂ  第２の突起
２２ａ  リング外れ留め通し用縦穴
２２ｂ  リング外れ留め通し用縦穴
３      操作レバー
４      排水口開閉蓋
５      第２のリング
５１ａ  突起受入用縦溝
５１ｂ  突起受入用縦溝
５２ａ  突起案内溝
５２ｂ  突起案内溝
５３ａ  リング外れ留め
５３ｂ  リング外れ留め
【図１】
0003218654.tif 000003
【図２】
0003218654.tif 000004
【図３】
0003218654.tif 000005